【手続補正書】
【提出日】令和2年3月26日(2020.3.26)
【手続補正１】
【補正対象書類名】特許請求の範囲
【補正対象項目名】全文
【補正方法】変更
【補正の内容】
【特許請求の範囲】
【請求項１】
外部デバイスから受信信号を受信し、前記受信信号のインターシンボルインターフェース(ISI)を補償することによって、補償された受信信号を生成し、前記補償された受信信号に基づいてイコライゼーションデータを出力する、ように構成された受信イコライザーと、
前記イコライゼーションデータに基づいて、ターミネイションシンボルを決定し、前記決定されたターミネイションシンボルに基づいて、前記受信信号についてのビタビデコーディングを遂行して、シーケンスデータを出力する、ように構成された最尤系列推定器(MLSE)と、
を含む、信号受信回路。
【請求項２】
前記最尤系列推定器は、さらに、
前記受信イコライザーの基準電圧に基づいて電圧の基準セットを生成し、
前記ターミネイションシンボル及び前記電圧の基準セットに基づいて、前記受信信号に包含された複数のシンボル間の経路を演算し、
前記演算された経路に基づいて前記シーケンスデータを決定する、ように構成された、
請求項１に記載の信号受信回路。
【請求項３】
前記最尤系列推定器は、さらに、
前記ターミネイションシンボルから前記複数のシンボルのうち、一番目のシンボルへの経路を演算する、ように構成された、
請求項２に記載の信号受信回路。
【請求項４】
前記最尤系列推定器は、さらに、
前記イコライゼーションデータから前記シーケンスデータの以前にデコーディングされた以前シーケンスデータの最後のデータと対応する値を抽出し、
複数の状態のうち、前記抽出された値と対応される状態を前記ターミネイションシンボルとして決定する、ように構成された、
請求項２に記載の信号受信回路。
【請求項５】
前記最尤系列推定器は、さらに、
前記基準電圧に基づいて、複数の状態のそれぞれについての基準を決定し、
前記決定された基準及び前記受信イコライザーの少なくとも１つの係数に基づいて、前記基準セットに包含された複数の基準レベルを決定する、ように構成された、
請求項２に記載の信号受信回路。
【請求項６】
前記最尤系列推定器は、さらに、
前記複数の基準レベルのうち対応する1つの基準レベルに基づいて、前記複数のシンボル間の経路のうち対応する1つの経路を演算する、ように構成された、
請求項５に記載の信号受信回路。
【請求項７】
前記最尤系列推定器は、さらに、
前記演算の結果に基づいて、前記複数のシンボルにおける最後のシンボルの状態のうち累積経路が最短距離である状態を選択し、前記選択された状態に基づいて前記シーケンスデータを出力するようにさらに構成された、
請求項２に記載の信号受信回路。
【請求項８】
前記受信イコライザーは、さらに、
前記イコライゼーションデータ以前のイコライゼーションデータを所定の時間だけ遅延させて遅延信号を出力し、
前記遅延信号に第１係数が反映された信号、及び、前記受信信号の合算信号を受信し、
前記基準電圧に基づいて、前記合算信号をサンプリングし、
前記サンプリングされた信号を前記イコライゼーションデータとして出力する、
ように構成された、
請求項２に記載の信号受信回路。
【請求項９】
前記受信イコライザーは、Nタップ(但し、Nは自然数)構造を包含するデシジョンフィードバックイコライザー(DFE)回路である、
請求項１に記載の信号受信回路。
【請求項１０】
前記信号受信回路は、さらに、  前記シーケンスデータの長さを調整するように構成された、シーケンス長さ調整ロジック、を含む、
請求項１乃至９いずれか一項に記載の信号受信回路。
【請求項１１】
信号受信回路の動作方法であって、
少なくとも1つのプロセッサを使用して、外部デバイスから信号を受信するステップと、
前記少なくとも1つのプロセッサを使用して、前記受信された信号に包含された インターシンボルインターフェース(ISI)を補償することによって、補償された信号を生成するステップと、
前記少なくとも1つのプロセッサを使用して、前記補償された信号に基づいて、イコライゼーションデータを生成するステップと、
前記少なくとも1つのプロセッサを使用して、前記イコライゼーションデータに基づいて、ターミネイションシンボルを決定するステップと、
前記少なくとも1つのプロセッサを使用して、前記ターミネイションシンボルに基づいて、前記受信された信号についてのビタビデコーディングを遂行するステップと、
前記少なくとも1つのプロセッサを使用して、前記ビタビデコーディングされた受信された信号に基づいてシーケンスデータを出力するステップと、
を含む、動作方法。
【請求項１２】
前記動作方法は、さらに、
前記少なくとも１つのプロセッサを使用して、受信イコライザーの基準電圧に基づいて、複数の基準レベルを包含する基準セットを生成するステップ、
を含む、請求項１１に記載の動作方法。
【請求項１３】
前記複数の基準レベルのそれぞれは、前記基準電圧及び前記受信イコライザーの少なくとも１つの係数に基づいて生成される、
請求項１２に記載の動作方法。
【請求項１４】
前記ビタビデコーディングを遂行するステップは、
前記ターミネイションシンボル及び前記基準セットに基づいて、受信信号に包含された複数のシンボル間の経路を演算するステップと、
前記演算された経路のうち最短経路を決定するステップと、
前記決定された最短経路に基づいて、前記シーケンスデータを出力するステップと、
を含む、請求項１２に記載の動作方法。
【請求項１５】
前記補償された信号を生成するステップは、
前記イコライゼーションデータを所定の時間だけ遅延させて遅延信号を生成するステップと、
前記受信された信号、及び、前記遅延された信号に係数を包含する、反映された信号に基づいて合算信号を生成するステップと、
前記基準電圧に基づいて、前記合算信号をサンプリングして、前記イコライゼーションデータを出力するステップと、
を含む、請求項１２に記載の動作方法。
【請求項１６】
外部伝送デバイスから通信チャネルを通じて信号を受信し、前記受信された信号でインターシンボルインターフェース(ISI)を補償し、前記補償された受信された信号に基づいてイコライゼーションデータを出力する、ように構成された受信イコライザーと、
前記イコライゼーションデータのうち少なくとも一部に基づいて、ターミネイションシンボルを決定し、前記決定されたターミネイションシンボルに基づいて、前記受信された信号についてのビタビデコーディングを遂行し、前記ビタビデコーディングされた受信された信号に基づいて、シーケンスデータを出力する、ように構成された最尤系列推定器(MLSE)と、
前記通信チャネルの状態によって、前記イコライゼーションデータ及び前記シーケンスデータのいずれか１つを選択して出力する、ように構成されたセレクタと、
を含む、信号受信回路。
【請求項１７】
前記外部伝送デバイスとのトレーニング動作を通して、前記通信チャネルの前記状態が評価される、
請求項１６に記載の信号受信回路。
【請求項１８】
前記トレーニング動作の評価結果が基準値を満足しない場合に、前記セレクタは、前記シーケンスデータを選択して出力し、
前記トレーニング動作の評価結果が前記基準値を満足する場合に、前記セレクタは、前記イコライゼーションデータを選択して出力する、
請求項１７に記載の信号受信回路。
【請求項１９】
前記基準値は、前記受信イコライザーの性能又は前記受信イコライザーのタップ数に基づいて選択される、
請求項１８に記載の信号受信回路。
【請求項２０】
前記最尤系列推定器は、
前記イコライゼーションデータに基づいて、前記ターミネイションシンボルを決定し、
前記ターミネイションシンボル及び基準セットに基づいて、前記受信された信号に包含された複数のシンボル間の経路を演算し、
経路演算ロジックの演算結果に基づいて、前記シーケンスデータを決定して出力する、ように構成された、
請求項１６または１７に記載の信号受信回路。